(57)【要約】【課題】撮影者の意図や使用条件に応じてオートモードで設定するパラメータを自動的に最適化する。【解決手段】被写体像を撮影する撮影手段と、撮影環境を検出する検出手段と、前記検出手段により検出された撮影環境に基づいて前記撮影手段の撮影パラメータを設定する設定手段と、前記撮影手段により撮影された画像を表示する表示手段と、前記撮影手段により撮影された画像に、前記撮影環境及び撮影パラメータを付加して記録する記録手段と、前記表示手段に表示された画像から失敗画像を選択する選択手段と、前記失敗画像の撮影環境から失敗要因となった撮影パラメータを抽出し補正する補正手段と、を備える。【選択図】      図４
2007124245.tif 000002
【特許請求の範囲】
【請求項１】
被写体を撮影する撮影手段と、
撮影環境を検出する検出手段と、
前記検出手段により検出された撮影環境情報に基づいて前記撮影手段の撮影パラメータを設定する設定手段と、
前記撮影手段により撮影された画像を表示する表示手段と、
前記撮影手段により撮影された画像に、前記撮影環境情報及び撮影パラメータを付加して記録する記録手段と、
前記表示手段に表示された画像から失敗画像を選択する選択手段と、
前記失敗画像の撮影環境情報から失敗要因となった撮影パラメータを抽出し補正する補正手段と、を備えることを特徴とする撮像装置。
【請求項２】
前記失敗画像の撮影環境情報から、前記補正手段による補正が必要な撮影パラメータ候補を抽出し、当該撮影パラメータ候補を前記表示手段に選択可能に提示する提示手段を更に備え、
前記選択手段にて前記提示手段により提示されたパラメータを選択し、前記補正手段により当該パラメータを補正することを特徴とする請求項１に記載の撮像装置。
【請求項３】
前記撮影環境情報は、被写体までの距離情報及び合焦度の少なくともいずれかを含み、
前記撮影パラメータは、フォーカス制御手段の制御パラメータであることを特徴とする請求項１又は２に記載の撮像装置。
【請求項４】
前記フォーカス制御手段は、フォーカス制御用レンズの位置決めを行うモータ機構であることを特徴とする請求項３に記載の撮像装置。
【請求項５】
前記撮影環境情報は、被写体の明るさを表わす情報であり、
前記撮影パラメータは、シャッター速度、絞り開口値、信号処理ゲイン、ストロボ発光量の少なくともいずれかであることを特徴とする請求項１又は２に記載の撮像装置。
【請求項６】
前記撮影環境情報は、撮影画像の特定部分のスペクトル解析情報であり、
前記撮影パラメータは、撮影画像の色温度の補正値であることを特徴とする請求項１又は２に記載の撮像装置。
【請求項７】
前記撮影環境情報は、外光の乱反射に関する情報であり、
前記撮影パラメータは、撮影画像の色温度の補正値であることを特徴とする請求項１又は２に記載の撮像装置。
【請求項８】
前記撮影環境情報は、マイクにより検出した音声情報であり、
前記撮影パラメータは、前記マイクへ入力される音声信号が歪まないように信号レベルを補正する値であることを特徴とする請求項１又は２に記載の撮像装置。
【請求項９】
前記撮影環境情報は、ジャイロセンサにより検出した振動情報であることを特徴とする請求項１又は２に記載の撮像装置。
【請求項１０】
前記設定手段は、前記検出手段により検出した撮影環境情報に基づいて撮影パラメータを決定するためのパラメータテーブルを有し、
前記補正手段は、前記パラメータテーブルにおける前記補正が必要な撮影パラメータを補正することを特徴とする請求項１に記載の撮像装置。
【請求項１１】
前記検出手段により検出した撮影環境情報に基づいて撮影パラメータを決定するためのパラメータテーブルを有し、
前記補正手段は、前記パラメータテーブルにおける前記選択手段により選択された撮影パラメータを補正することを特徴とする請求項２に記載の撮像装置。
【請求項１２】
被写体像を撮影する撮影手段と、
撮影環境を検出する検出手段と、
前記検出手段により検出された撮影環境情報に基づいて前記撮影手段の撮影パラメータを設定する設定手段と、
前記撮影手段により撮影された画像を表示する表示手段と、
前記撮影手段により撮影された画像に、前記撮影環境情報及び撮影パラメータを付加して記録する記録手段と、を備える撮像装置のパラメータ設定方法であって、
前記表示手段に表示された画像から失敗画像を選択する選択工程と、
前記失敗画像の撮影環境情報から失敗要因となった撮影パラメータを抽出し補正する補正工程と、を備えることを特徴とする方法。
【請求項１３】
前記失敗画像の撮影環境情報から、前記補正が必要な撮影パラメータ候補を抽出し、当該撮影パラメータ候補を前記表示手段に選択可能に提示する提示工程を更に備え、
前記選択工程では前記提示工程により提示されたパラメータを選択し、前記補正工程にて当該パラメータを補正することを特徴とする請求項１２に記載の方法。
【請求項１４】
前記撮影環境情報は、被写体までの距離情報及び合焦度の少なくともいずれかを含み、
前記撮影パラメータは、フォーカス制御手段の制御パラメータであることを特徴とする請求項１２又は１３に記載の方法。
【請求項１５】
前記フォーカス制御手段は、フォーカス制御用レンズの位置決めを行うモータ機構であることを特徴とする請求項１４に記載の方法。
【請求項１６】
前記撮影環境情報は、被写体の明るさを表わす情報であり、
前記撮影パラメータは、シャッター速度、絞り開口値、信号処理ゲイン、ストロボ発光量の少なくともいずれかであることを特徴とする請求項１２又は１３に記載の方法。
【請求項１７】
前記撮影環境情報は、撮影画像の特定部分のスペクトル解析情報であり、
前記撮影パラメータは、撮影画像の色温度の補正値であることを特徴とする請求項１２又は１３に記載の方法。
【請求項１８】
前記撮影環境情報は、外光の乱反射に関する情報であり、
前記撮影パラメータは、撮影画像の色温度の補正値であることを特徴とする請求項１２又は１３に記載の方法。
【請求項１９】
前記撮影環境情報は、マイクにより検出した音声情報であり、
前記撮影パラメータは、前記マイクへ入力される音声信号が歪まないように信号レベルを補正する値であることを特徴とする請求項１２又は１３に記載の方法。
【請求項２０】
前記撮影環境情報は、ジャイロセンサにより検出した振動情報であることを特徴とする請求項１２又は１３に記載の方法。
【請求項２１】
前記設定手段は、前記検出手段により検出した撮影環境情報に基づいて撮影パラメータを決定するためのパラメータテーブルを有し、
前記補正工程では、前記パラメータテーブルにおける前記補正が必要な撮影パラメータを補正することを特徴とする請求項１２に記載の方法。
【請求項２２】
前記検出手段により検出した撮影環境情報に基づいて撮影パラメータを決定するためのパラメータテーブルを有し、
前記補正工程では、前記パラメータテーブルにおける前記選択工程にて選択された撮影パラメータを補正することを特徴とする請求項１３に記載の方法。
【請求項２３】
請求項１２乃至２２のいずれか１項に記載の方法をコンピュータに実行させるためのプログラム。
【請求項２４】
請求項２３に記載のプログラムを記憶したことを特徴とするコンピュータ可読記憶媒体。
【発明の詳細な説明】
【技術分野】
【０００１】
本発明は、静止画像や動画像、音声を記録する撮像装置のパラメータを撮影者の意図や使用条件等に応じて最適化する技術に関するものである。
【背景技術】
【０００２】
近年、デジタルスチルカメラやデジタルビデオカメラ等の電子撮影機器が発展し、急速に普及している。これらの電子撮影機器の多くは、撮影情報を瞬時に確認することができ、記録媒体も書き換えが可能であることもあって、手軽に撮影することが可能である。従って、撮影技術の未熟な撮影者からプロまで、幅広く使用されるようになった。一般的に、撮影には、フォーカス、シャッタースピード、音声のゲイン等、数多くのパラメータ設定が必要である。撮影パラメータを適切に設定しなければ、撮影画像は非合焦や、手ブレ、非適正露出、音声の歪等の失敗画像となる。失敗画像は、記録媒体の記録領域を圧迫するため、失敗画像を速やかに削除する方法が提案されている。例えば、特許文献１には、撮影時に失敗した画像を判定する情報を撮影時にメタデータであるExifのMaker Note Tagへ記録し、記録媒体の空き領域が不足した場合に一括して消去する技術が提案されている。
【０００３】
一方、失敗画像の撮影を極力減らすためには、特に撮影技術の未熟な撮影者向けに、撮影パラメータを自動設定する、所謂「オートモード」を搭載している機器が多い。しかしながら、オートモードは単なる撮影のアシストであり、撮影者が意図する通りに撮影できないことがある。なぜなら、設定すべきパラメータは、撮影者の撮影技術や撮影環境により異なるため、オートモードで設定すべきパラメータも多様となるからである。従来より、画像の特徴を捉えてその特徴に合致した撮影パラメータで撮影する方法が提案されており、例えば、特許文献２には、撮影中の画像から特徴を抽出し、撮影をアシストする技術が提案されている。
【特許文献１】特開２００４−２０１２４７号公報（第１０頁、図３）
【特許文献２】特開２００３−０８７７７６号公報（第２６頁、図１１）
【発明の開示】
【発明が解決しようとする課題】
【０００４】
しかしながら、上記従来技術では下記のような欠点があった。即ち、
特許文献１においては、失敗画像であるかどうかをカメラ側で判定する必要があったので、失敗画像か否かの判断基準はカメラ任せになってしまう。従って、意図して失敗画像風に撮影する場合や、撮影者とカメラの判断基準が異なるといった不都合が生じていた。
【０００５】
また、特許文献２においては、撮影画像が失敗画像であっても特徴抽出を実行してしまうため、撮影者が数多くの撮影画像中から良いものを選択しても、その選択した画像の撮影パラメータに対応した所望のパラメータへの調整はされないという問題が発生する。従って、撮影者は自ら失敗画像を確認し、どのパラメータを変更すれば適切な撮影ができたのかを撮影者自身が分析し、マニュアル操作によりパラメータ調整を行う必要があった。ところが、パラメータ調整には経験と勘を必要とし面倒な操作を伴うものである。
【０００６】
本発明は、上記課題に鑑みてなされ、その目的は、撮影者が選択した失敗画像から補正が必要な撮影パラメータを抽出し、撮影者の意図や使用条件等に応じて撮影パラメータを自動的に最適化できる技術を実現することである。
【課題を解決するための手段】
【０００７】
上記課題を解決し、目的と達成するために、本発明の撮像装置は、被写体像を撮影する撮影手段と、撮影環境を検出する検出手段と、前記検出手段により検出された撮影環境情報に基づいて前記撮影手段の撮影パラメータを設定する設定手段と、前記撮影手段により撮影された画像を表示する表示手段と、前記撮影手段により撮影された画像に、前記撮影環境情報及び撮影パラメータを付加して記録する記録手段と、前記表示手段に表示された画像から失敗画像を選択する選択手段と、前記失敗画像の撮影環境情報から失敗要因となった撮影パラメータを抽出し補正する補正手段と、を備える。
【０００８】
また、本発明は、被写体像を撮影する撮影手段と、撮影環境を検出する検出手段と、前記検出手段により検出された撮影環境情報に基づいて前記撮影手段の撮影パラメータを設定する設定手段と、前記撮影手段により撮影された画像を表示する表示手段と、前記撮影手段により撮影された画像に、前記撮影環境情報及び撮影パラメータを付加して記録する記録手段と、を備える撮像装置のパラメータ設定方法であって、前記表示手段に表示された画像から失敗画像を選択する選択工程と、前記失敗画像の撮影環境情報から失敗要因となった撮影パラメータを抽出し補正する補正工程と、を備える。
【発明の効果】
【０００９】
本発明によれば、撮影者の意図や使用条件等に応じてオートモードで設定する撮影パラメータを自動的に最適化できる。
【発明を実施するための最良の形態】
【００１０】
以下、本発明に係る一実施形態について図面を参照して詳細に説明する。
【００１１】
なお、以下に説明する実施形態は、本発明の実現手段としての一例であり、本発明が適用される装置の構成や各種条件によって適宜修正又は変更されるべきものであり、本発明は以下の実施形態に限定されるものではない。例えば、本発明は、後述のように静止画像や動画像を撮像する撮像装置のほか、音声を記録する録音装置等にも適用可能である。
【００１２】
［第１の実施形態］
図１は本発明を適用した実施形態のデジタルビデオカメラのブロック図である。
【００１３】
図１において、１は本実施形態のデジタルビデオカメラ（以下、カメラ）の撮像系を制御するカメラコントローラである。５は防振制御のためのバリアングルプリズムである。６はフォーカス制御用レンズである。７は受光量を制限するためのアイリス（絞り）である。８は被写体の光学像を電荷に変換するＣＣＤ等の撮像素子である。９はAFE(Analog Front End)である。AFE９はCDS(Correlated Double Sampling)、AGC(Automatic Gain Control)、及びADC(Analog Digital Converter)等からなる。１０は画像処理部である。１６はシステム制御用マイコンである。２０は被写体の明るさが不足しているときに閃光を行うストロボである。１７は撮影画像を視認したり、カメラに関する情報等を表示するためのＬＣＤ等からなる表示装置である。１８は撮影者が本カメラを操作する指示を入力するための操作部である。１９は撮影した画像を記録するためのＤＶテープやハードディスク等の記録媒体である。１１は音声を電気信号へ変換するためのマイクである。１２はマイク１１で電気信号へ変換した微小な音声信号を増幅するためのオーディオアンプ部である。１３はオーディオアンプ部１２の出力信号を演算し、マイコン１６で扱いやすいフォーマット形式へ変換するためのオーディオ信号処理部である。１４は本カメラの揺れや振動（手ブレ）を検出するためのジャイロセンサである。
【００１４】
ビデオ撮影を適切に行うためには、撮影画像を評価し、ＡＦ評価値として算出し、焦点が合致する位置へフォーカス制御用レンズ６のモータ２を駆動して、適切な位置へ制御したり、アイリス７のアクチュエータ３を制御する必要がある。また、適切なシャッタースピードやアイリスの開口を制御したり、ＡＦＥ９のゲイン４を適切な値へ設定する必要もある。
【００１５】
また、ジャイロセンサ１４の検出値（振動情報）に応じてプリズム５の角度を変えて手ブレを補正したり、オーディオ信号処理部１３の設定レベルを調整したり、画像処理部１０から出力される画像の色彩からホワイトバランスの設定を調整する必要がある。前述した各種調整は、カメラの使用条件や撮影環境に応じて撮影パラメータテーブル１５を参照して行う。例えば、アイリス７やゲイン４の制御では、画像処理部１０が撮影したい画像の明るさ（測光）情報を取得することができる。カメラは、この明るさ情報に応じて撮影パラメータテーブル１５を参照することで、シャッタースピード、アイリス７の開口値、ゲイン４のそれぞれの制御パラメータを設定することができる。但し、撮影パラメータテーブル１５は、撮影モードに応じて参照するテーブルが異なる。例えば、スポーツモード等の高速で動く被写体を撮影する場合には、より高速のシャッタースピードが要求されるので、アイリス７を可能な限り開放し、ゲイン４を高くすることで、シャッタースピードを速くすることができる。また、風景撮影モードでは、アイリス７を閉じ気味にすることで、近くの風景から遠くの風景まで広い範囲でピントを合わせた画像を撮影することができる。また、一般的に多くの者が撮影に不慣れな撮影者のため、全ての撮影パラメータが無難に設定されるいわゆる「オートモード」を備えている。
【００１６】
図２は、本実施形態における、オートモードによる撮影時のパラメータ設定及び撮影動作を示すフローチャートである。
【００１７】
図２において、Ｓ１０１では撮影環境を測定する。撮影環境とは、ＡＦ評価値、明るさ情報、ジャイロセンサ出力値、オーディオ検出レベル、色彩判定値等、各センサやマイコンの処理によって求めたデータである。Ｓ１０２では、Ｓ１０１で求めた測定データから撮影パラメータテーブルを検索する。Ｓ１０３では、Ｓ１０２での検索結果から各モータやアクチュエータ駆動、ゲイン設定等により、撮影パラメータどおりにカメラの設定を変更する。
【００１８】
Ｓ１０４では、測定データと設定パラメータとから記録媒体へ記録する際のメタデータを作成する。Ｓ１０５では実際に撮影し、Ｓ１０６では実際に撮影した画像データにメタデータを付加して記録を行う。メタデータとは、静止画の場合はExifに相当し、ＤＶフォーマットテープに記録する場合はAUXデータ領域に相当する。それぞれ、メーカが自由に設定できるメーカノード領域が存在するため、記録が可能である。
【００１９】
図３は記録する画像ファイルの最小単位１９１を例示した図であり、１９２はメタデータ、撮影環境データ１９３と撮影パラメータ１９４は一対で記録されており、撮影環境データ１９３の種類毎に撮影パラメータ１９４が記録される。１９５は実際に撮影した画像データの領域である。
【００２０】
図５は、本実施形態のカメラによる画像再生時のユーザインタフェースを例示する図である。
【００２１】
図５において、１７は表示装置であり、１８１〜１８７は操作部１８に配置された詳細な操作ボタンである。表示装置１７では画像選択１７１や撮影情報１７２を選択することができる。選択は、前キー１８２、次キー１８３、決定キー１８６、戻るキー１８７により行う。撮影モードや再生モード等のモード選択はモードダイヤル１８１により行う。撮影者はモードダイヤル１８１で再生モード選択中に、画像選択１７１を選択し、前キー１８２や次キー１８３で画像を選択して撮影状態を確認できる。そして、似た画像が複数撮影されていたり、構図が悪い、思ったものが撮影されていないといった場合や明らかに撮影者の都合で消去を希望する画像である場合は、その画像表示中に削除キー１８５を押すことで表示中の画像を記録媒体から消去することができる。また、撮影パラメータの設定不良と想定される要因により、撮影が失敗していると撮影者が判断した場合は、失敗キー１８４を押すことで、失敗画像として選択することができる。
【００２２】
図４は、本実施形態における、画像再生時に失敗画像を選択して撮影パラメータを補正する処理を示すフローチャートである。
【００２３】
図４において、Ｓ１１１では、操作部１８より表示する画像を選択し表示を行う。Ｓ１１２では、撮影者により選択された表示画像が失敗キー１８４により失敗画像として選択されているか判定する。そして、失敗画像の場合は、本カメラのオートモードでの撮影パラメータの設定不良のため失敗画像となったと判定し、Ｓ１１３に移行する。
【００２４】
Ｓ１１３では、撮影時に測定された撮影環境と、設定されていた撮影パラメータとを取得する。Ｓ１１４では、撮影パラメータテーブルの不適切な部分に対する補正を実施する。これにより、次回の撮影時に環境データが一致していた場合には、この補正された撮影パラメータが適用されることになる。なお、Ｓ１１２において、失敗画像として選択されていない場合、上記撮影パラメータの補正は行わず、本フローの処理を終了する。
【００２５】
ここで、オートモードで撮影する場合の撮影パラメータテーブルの補正方法について詳細に説明する。
【００２６】
（１）ＡＦ制御：フォーカス制御は、撮影中に時々刻々と変化する画像の周波数解析を行い、最も周波数成分が高い、つまり、画像のエッジがくっきりしている画像が撮影できるように制御を行っている。周波数成分から合焦の度合いをＡＦ評価値として算出する。静止画撮影モードの場合、ＡＦ評価値が基準値を上回るまではシャッターを禁止する制御を行う場合があるが、基準に満たない場合でも制限時間を設け、シャッターを許可する。失敗画像として選択された画像のメタデータを解析し、失敗画像のＡＦ評価値が低い場合、また、基準値を下回っていた場合は、非合焦画像と判断し、シャッター禁止とする基準値を上げるように撮影パラメータテーブルを補正する。また、タイムアウト時間を増加させるように撮影パラメータテーブルを補正する。また、失敗画像として選択された画像のメタデータを解析し、失敗画像のＡＦ評価値が高い場合、失敗画像は合焦していたと判断し、シャッター禁止とする基準値を下げるように、また、タイムアウト時間を減少させるように、撮影パラメータテーブルを補正する。
【００２７】
（２）ＡＥ制御：ＡＥ制御は、撮影中に時々刻々と変化する画像の明るさを解析し、撮影モードに応じたシャッタースピード、アイリス開口値、ゲイン、ストロボ発光量を決定する。失敗画像として選択された画像のメタデータ及び画像を解析し、画像のヒストグラムが白寄りの場合は、実際測定した光量を明るい方向で補正するか、撮影パラメータテーブルを明るい画像を撮影する設定値へ変更する。逆に、画像のヒストグラムが黒寄りの場合は、白寄りの反対へと補正する。また、撮影時にストロボを使用していた場合、画像のヒストグラムが白寄りの場合は、発光量を減少させる方向で、逆に黒寄りの場合は発光量を増加させる方向で撮影パラメータテーブルを補正する。
【００２８】
（３）ホワイトバランス制御：ホワイトバランスは、白いものが白く写るように色温度の補正を行う機能である。基準となる白は、外部の乱反射を計測し、乱反射光の積分値が色彩を持たないように色温度を補正する方式や、画像の特定の位置に関して、スペクトルの積分値が色彩を持たないように色温度を補正する方式がある。失敗画像として選択された画像のメタデータを解析し、ホワイトバランス設定の変化が多い場合は、ホワイトバランスの引き込みが弱くなるように、撮影パラメータテーブルを補正する。逆に、失敗画像として選択された画像のメタデータを解析し、ホワイトバランス設定の変化が少ない場合は、ホワイトバランスの引き込みが標準的な設定へ戻す方向で、撮影パラメータテーブルを補正する。また、ホワイトバランスの設定が、特定の色温度設定可能範囲の最大値になっている場合は、設定可能範囲を広げる方向へ撮影パラメータテーブルを補正する。逆に、ホワイトバランスの設定が、特定の色温度設定可能範囲の中心値に近い値となっている場合は、設定可能範囲を標準的な設定へ狭める方向へ撮影パラメータテーブルを補正する。
【００２９】
（４）オーディオ制御：オーディオ制御では、マイクから入力する音声のピークを検出し、ピークが特定の範囲に入るように、自動的にレベルを調整する制御を行う。失敗画像として選択された画像のメタデータを解析し、オーディオピークレベルが高い場合は、大音量でも音声が歪まないように設定レベルを上げる方向で撮影パラメータテーブルを補正する。逆に、オーディオピークレベルが低い場合は、設定レベルを下げる方向で撮影パラメータテーブルを補正する。
【００３０】
（５）防振制御：防振制御、つまり手ブレ補正は、撮影時のジャイロセンサの出力値に応じて、光軸をシフトさせることのできるバリアングルプリズムの角度を変えて、手ブレを補正する制御等である。手ブレはシャッタースピードが遅くなるほど発生しやすく、撮影者によって手ブレの多い場合や三脚等に固定してブレが起こらない環境で使用する場合がある。失敗画像として選択された画像のメタデータを解析し、ジャイロセンサの出力値が大きな場合、撮影者は手ブレを起こしやすいと判断し、シャッタースピードを速くする方向へ設定を変更するように撮影パラメータテーブルを補正する。逆に、失敗画像として選択された画像のメタデータを解析し、ジャイロセンサの出力値が基準値よりも小さい場合は、撮影者は手ブレを起こしにくいと判断し、標準的なシャッタースピードに設定するように撮影パラメータテーブルを補正する。
【００３１】
以上のように、メタデータから取得した撮影パラメータを解析し、補正が必要なパラメータテーブルを補正することにより、オートモードでの撮影パラメータを撮影者の使用条件等に合わせて補正することができる。
【００３２】
［第２の実施形態］
第１の実施形態では、失敗画像を選択することで、選択された画像に付加されたメタデータを読み取り、自動で撮影パラメータテーブルを補正した。しかしながら、失敗画像として選択された画像のパラメータの設定不良箇所が複数存在するが、撮影者が失敗画像と認識していないパラメータ設定不良箇所が含まれている場合もある。つまり、設定不良の認識度合いが撮影者や用途によって変わってくる。例えば、大画面で表示する場合はピンぼけとなるが、小さなシールへ印刷できればよい画像や、メールで添付して送る画像等は、多少ピンぼけであってもかまわない場合がある。このような課題に鑑みて、第２の実施形態では、撮影者が失敗画像を選択した場合に、失敗要因となった可能性が高いパラメータを提示し、撮影者がその失敗要因となったパラメータを選択する機能を追加している。これによって、より正確な撮影パラメータテーブルの補正を行うことができる。なお、上記撮影者が失敗要因となったパラメータを選択する機能は、モードダイヤル１８１で、第１の実施形態の自動で撮影パラメータテーブルを補正する機能と切り替えて選択できるようにしてもよい。
【００３３】
図７は、本実施形態のカメラによる画像再生時のユーザインタフェースを例示し、図５の画面に対して同様の機能を有するものには同一の符号を付して示している。
【００３４】
図７において、表示装置１７では、画像選択１７１や撮影情報１７２が選択可能となっており、更に画像表示中に失敗キー１８４が押されると、失敗要因となったパラメータを選択するための失敗理由選択１７４が表示される。
【００３５】
候補となるパラメータとしては、第１の実施形態の（１）〜（５）で説明した撮影パラメータテーブルを補正する要因となるもので、リスト１７５の表示を行う。撮影者は前キー１８２と次キー１８３によってリスト１７５から失敗理由を選択することができる。また、選択を確定するためには決定キー１８６、選択を解除するためには、再度決定キー１８６を押せばよい。失敗理由が選択された状態で戻るキー１８７を押すと、選択されたパラメータの撮影パラメータテーブルのみの補正を行う。
【００３６】
図６は、本実施形態における、画像再生時に失敗画像及び失敗理由を選択して撮影パラメータを補正する処理を示すフローチャートである。
【００３７】
図６において、Ｓ１２１では、操作部１８により表示する画像を選択し表示を行う。Ｓ１２２では、撮影者により選択された表示画像が失敗キー１８４により失敗画像として選択されているか判定する。そして、失敗画像の場合は、Ｓ１２３に移行し、撮影時に測定された撮影環境と、設定されていた撮影パラメータとを取得し、補正が必要と想定される候補パラメータの抽出を行う。ここでの抽出アルゴリズムは、第１の実施形態の（１）〜（５）で述べた内容と同様であるが、モードダイヤル等によって自動で撮影パラメータを補正するモードに切り替えられる場合には、候補パラメータの抽出基準を弱めて撮影者の選択範囲を広げると良い。
【００３８】
Ｓ１２５では撮影者が表示装置１７に表示された候補パラメータを見ながら操作部１８により失敗理由を選択する。Ｓ１２６では、選択されたパラメータに対して、次回の撮影時に撮影環境が一致した場合に同じパラメータにならないように、測定データが参照する撮影パラメータテーブルを補正する。
【００３９】
なお、Ｓ１２２において、失敗画像として選択されていない場合、上記撮影パラメータの補正は行わず、本フローの処理を終了する。
【００４０】
以上のように、メタデータから取得した撮影パラメータを解析し、補正が必要なパラメータを抽出して撮影者に提示し、パラメータの選択を撮影者にゆだねることで、オートモードでの撮影パラメータを撮影者の意図等に合わせて補正することができる。
【００４１】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００４２】
また、本発明の目的は、図示の機能ブロック及び動作において、いずれの部分をハードウェア回路により実現し、或いはコンピュータを用いたソフトウェア処理によって実現しても達成されることは言うまでもない。
【００４３】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００４４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、OSに供給するスクリプトデータ等の形態であっても良い。
【００４６】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００４７】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００４８】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００４９】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００５０】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【００５１】
［効果の説明］
以下に、上記各実施形態による効果について説明する。
【００５２】
先ず、第１の実施形態では、撮影者が選択した失敗画像の撮影環境に基づいて補正が必要な撮影パラメータを特定することができる。また、撮影者が失敗画像であるかどうかを判断するので撮影者の意図に合わせたパラメータの補正を行うことができる。特に、第１の実施形態では、失敗画像から補正が必要なパラメータを特定するため、どのパラメータを変更することによって失敗が回避できるかどうかを判断できない経験の浅い撮影者に対して、適切な撮影パラメータ調整が可能となる。
【００５３】
また、第２の実施形態では、失敗画像から補正が必要なパラメータ候補を抽出し、撮影者に提示するため、撮影者の意図に応じた撮影パラメータを補正し、カメラに対してフィードバックすることができる。
【００５４】
また、ＡＦ制御用モータ２の制御パラメータを補正することで、非合焦状態の画像となっていた撮影パラメータを、次回の略同じ撮影環境での撮影時において合焦状態の画像になるように調整することができる。
【００５５】
また、アイリス制御用アクチュエータ３の制御パラメータを補正することで、白とびや黒つぶれ、手ブレによる失敗画像のパラメータを特定することが可能となる。
【００５６】
また、ホワイトバランス制御パラメータや音声が歪まないように信号レベルを補正するパラメータを最適化できる。
【００５７】
また、パラメータの補正は、パラメータテーブル１５を書き換えることで行うことができる。
【図面の簡単な説明】
【００５８】
【図１】本発明に係る実施形態のデジタルビデオカメラのブロック図である。
【図２】本実施形態における、オートモードによる撮影時のパラメータ設定及び撮影動作を示すフローチャートである。
【図３】画像ファイルの構成を示す図である。
【図４】第１の実施形態における、画像再生時に失敗画像を選択して撮影パラメータを補正する処理を示すフローチャートである。
【図５】第１の実施形態における、画像再生時のユーザインタフェースを例示する図である。
【図６】第２の実施形態における、画像再生時に失敗画像及び失敗理由を選択して撮影パラメータを補正する処理を示すフローチャートである。
【図７】第２の実施形態における、画像再生時のユーザインタフェースを例示する図である。
【符号の説明】
【００５９】
１  カメラコントローラ
２  ＡＦ制御用モータ
３  アイリス制御用アクチュエータ
４  ゲイン
５  バリアングルプリズム
６  フォーカス制御用レンズ
７  アイリス
８  ＣＣＤ
９  ＡＦＥ
１０  画像処理部
１１  マイク
１２  オーディオアンプ部
１３  オーディオ信号処理部
１４  ジャイロセンサ
１５  撮影パラメータテーブル
１６  システム制御用マイコン
１７  表示装置
１８  操作部
１９  記録媒体
２０  ストロボ
【図１】
2007124245.tif 000003
【図２】
2007124245.tif 000004
【図３】
2007124245.tif 000005
【図４】
2007124245.tif 000006
【図５】
2007124245.tif 000007
【図６】
2007124245.tif 000008
【図７】
2007124245.tif 000009